(57)【要約】【課題】建築物の設計のみならず、その後の施工に関しても、施主の希望に沿った業者を選定することを可能とする。【解決手段】仲介サーバ装置２００は、施主がＰＣ１００に入力した条件データを設計事務所端末４００へ送信する。仲介サーバ装置は、設計事務所端末４００から送信される設計書ファイルをＰＣ１００へ送信する。ＰＣ１００にて設計書ファイルが選択されると、仲介サーバ装置２００は、選択された設計書ファイルを建築業者端末５００および電気工事業者端末６００へ送信し、これらの端末から送信される見積書ファイルをＰＣ１００へ送信する。ＰＣ１００にて見積書ファイルが選択されると、選択された設計書ファイルを送信した端末と、選択された見積書ファイルを送信した端末へ、送信したファイルが選択された旨が通知される。【選択図】        図１
2005031973.tif 000002
【特許請求の範囲】
【請求項１】
業者を特定するアドレスを階層別に分類して記憶するアドレス記憶手段と、
ユーザ用の端末にユーザ情報の入力を促す画面を表示させる情報を、該ユーザ用の端末へ送信する入力画面提供手段と、
前記ユーザ用の端末からユーザ情報が入力されると、前記アドレス記憶手段内の所定の階層に属するアドレスに対し、情報の提供を行う旨のリクエスト情報を送信するリクエスト情報送信手段と、
前記リクエスト情報に対する応答情報を受信してユーザ用の端末に転送するリクエスト応答情報転送手段と、
前記応答情報を出力した業者を選択する旨の情報を受信すると、当該業者が属する階層の一つ下の階層のアドレスに対し前記リクエスト情報を送信する階層選択手段とを具備し、
前記リクエスト応答情報転送手段は前記階層選択手段が送信したリクエスト情報に対する応答情報を受信した場合も、当該応答情報をユーザ用の端末に転送することを特徴とする仲介サーバ装置。
【請求項２】
前記リクエスト情報は、前記ユーザ用の端末から入力されたユーザ情報を含むことを特徴とする請求項１に記載の仲介サーバ装置。
【請求項３】
前記階層選択手段が送信するリクエスト情報は、前記応答情報を含むことを特徴とする請求項１または請求項２に記載の仲介サーバ装置。
【請求項４】
前記応答情報を出力した業者を選択する旨の情報を受信すると、前記応答情報が選択された旨を通知する選択通知メッセージを、当該業者のアドレスへ送信する選択通知メッセージ送信手段を有すること
を特徴とする請求項１乃至３のいずれかに記載の仲介サーバ装置。
【請求項５】
前記アドレス記憶手段に記憶されているアドレスを請求先と認識して課金を行う登録課金手段を有することを特徴とする請求項１乃至４のいずれかに記載の仲介サーバ装置。
【請求項６】
前記応答情報を出力した業者を選択する旨の情報を受信すると、当該業者のアドレスを請求先と認識して課金処理を行う取引成立課金手段を具備することを特徴とする請求項１乃至５いずれかに記載の仲介サーバ装置。
【請求項７】
前記所定の階層は最上位の階層であることを特徴とする請求項１乃至６いずれかに記載の仲介サーバ装置。
【請求項８】
コンピュータ装置を、
ユーザ用の端末にユーザ情報の入力を促す画面を表示させる情報を、該ユーザ用の端末へ送信する入力画面提供手段と、
前記ユーザ用の端末からユーザ情報が入力されると、当該コンピュータ装置が予め階層別に分類して記憶した業者を特定するアドレスのうち、所定の階層に属するアドレスに対し、情報の提供を行う旨のリクエスト情報を送信するリクエスト情報送信手段と、
前記リクエスト情報に対する応答情報を受信してユーザ用の端末に転送するリクエスト応答情報転送手段と、
前記応答情報を出力した業者を選択する旨の情報を受信すると、当該業者が属する階層の一つ下の階層のアドレスに対し前記リクエスト情報を送信する階層選択手段として機能させ、
前記リクエスト応答情報転送手段を、前記階層選択手段が送信したリクエスト情報に対する応答情報を受信した場合も、当該応答情報をユーザ用の端末に転送させる手段
として機能させるためのプログラム。
【発明の詳細な説明】
【０００１】
【発明の属する技術分野】
本発明は、通信網を利用して発注者と受注候補者との仲介を行う技術に関する。
【０００２】
【従来の技術】
施主が建築物の設計を設計士に依頼する場合、「コンペ」と呼ばれる手法が取られることがある。コンペとは、依頼者である施主の要求に基づいて、設計士が建築物を設計して応募し、施主が複数の応募された設計の中から所望の設計を選択して発注する手法である。施主は、この「コンペ」という手法を用いることにより、多数の設計士から寄せられた設計書を比較検討し、施主の要求に沿った設計を行う設計士を選択することが可能となる。
【０００３】
近年、通信ネットワークの発達により、この「コンペ」をインターネットなどの通信ネットワーク上で実現するシステムが開発されている（例えば、特許文献１参照）。このように、「コンペ」をインターネットなどの通信ネットワーク上で実現できるようになったことにより、個人の家屋の設計に際しても、容易にコンペを行うことが可能となった。
【０００４】
【特許文献１】
特開２００２−１９７３０３号公報
【０００５】
【発明が解決しようとする課題】
特許文献１に開示されているシステムによれば、建築物の設計に関しては、施主の要望に沿った設計士を選択することが可能となる。しかしながら、実際に建物を建てる際には、設計のみならず、実際に建物を建てる業者や水道工事を行う業者、電気工事を行う業者などを決める必要がある。これらの施行を行う業者の選定は、インターネットによるコンペに限らず、設計を依頼した設計士まかせになることが多く、設計面では、施主の希望通りとなるが、例えば、施工の品質やコストの面で施主の希望とかけ離れてしまうことがあった。
【０００６】
本発明は、上述した事情に鑑みてなされたものであり、設計のみならず、その後の施工に関しても、施主の希望に沿った業者を選定することが可能となる技術を提供することを目的とする。
【０００７】
【課題を解決するための手段】
上述した課題を解決するために本発明は、業者を特定するアドレスを階層別に分類して記憶するアドレス記憶手段と、ユーザ用の端末にユーザ情報の入力を促す画面を表示させる情報を、該ユーザ用の端末へ送信する入力画面提供手段と、前記ユーザ用の端末からユーザ情報が入力されると、前記アドレス記憶手段内の所定の階層に属するアドレスに対し、情報の提供を行う旨のリクエスト情報を送信するリクエスト情報送信手段と、前記リクエスト情報に対する応答情報を受信してユーザ用の端末に転送するリクエスト応答情報転送手段と、前記応答情報を出力した業者を選択する旨の情報を受信すると、当該業者が属する階層の一つ下の階層のアドレスに対し前記リクエスト情報を送信する階層選択手段とを具備し、前記リクエスト応答情報転送手段は前記階層選択手段が送信したリクエスト情報に対する応答情報を受信した場合も、当該応答情報をユーザ用の端末に転送する、仲介サーバ装置を提供する。
【０００８】
また本発明は、コンピュータ装置を、ユーザ用の端末にユーザ情報の入力を促す画面を表示させる情報を、該ユーザ用の端末へ送信する入力画面提供手段と、前記ユーザ用の端末からユーザ情報が入力されると、当該コンピュータ装置が予め階層別に分類して記憶した業者を特定するアドレスのうち、所定の階層に属するアドレスに対し、情報の提供を行う旨のリクエスト情報を送信するリクエスト情報送信手段と、前記リクエスト情報に対する応答情報を受信してユーザ用の端末に転送するリクエスト応答情報転送手段と、前記応答情報を出力した業者を選択する旨の情報を受信すると、当該業者が属する階層の一つ下の階層のアドレスに対し前記リクエスト情報を送信する階層選択手段として機能させ、前記リクエスト応答情報転送手段を、前記階層選択手段が送信したリクエスト情報に対する応答情報を受信した場合も、当該応答情報をユーザ用の端末に転送させる手段として機能させるためのプログラムを提供する。
【０００９】
本発明によれば、仲介サーバ装置（コンピュータ装置）は、業者を特定するアドレスを階層別に分類して記憶する。仲介サーバ装置は、ユーザ用の端末にユーザ情報の入力を促す入力画面を表示させ、ユーザ用の端末からユーザ情報が入力されると、記憶しているアドレスのうち所定の階層に属するアドレスに対し、情報の提供を行う旨のリクエスト情報を送信する。仲介サーバ装置は、リクエスト情報に対する応答情報を受信するとユーザ用の端末に応答情報を転送する。仲介サーバ装置は、応答情報を出力した業者を選択する旨の情報を受信すると、当該業者が属する階層の一つ下の階層のアドレスに対しリクエスト情報を送信する。仲介サーバ装置は、このリクエスト情報に対する応答情報を受信した場合も、当該応答情報をユーザ用の端末に転送する。これにより、ユーザ用の端末の使用者は、アドレスを格納している階層が続く範囲において、業者から送信される応答情報を受け取り、受け取った応答情報を選択することが可能となる。
【００１０】
より好ましい態様においては、前記リクエスト情報は、前記ユーザ用の端末から入力されたユーザ情報を含む。この態様によれば、ユーザ用の端末の使用者の希望に沿った情報を、リクエスト情報の送信先へ伝えることが可能となる。
また、より好ましい態様においては、前記階層選択手段が送信するリクエスト情報は、前記応答情報を含む。この態様によれば、リクエスト情報の送信先は、応答情報に沿った情報を作成することが可能となる。
また、好ましい態様においては、仲介サーバ装置は、応答情報を出力した業者を選択する旨の情報を受信すると、応答情報が選択された旨を通知する選択通知メッセージを、当該業者のアドレスへ送信する。この態様によれば、応答情報が選択されたことを、応答情報の送信元に通知できる。
また、好ましい態様においては、仲介サーバ装置は、前記アドレス記憶手段に記憶されているアドレスを請求先と認識して課金を行う登録課金手段を有する。この態様によれば、仲介サーバ装置は、業者への情報提供に対して課金を行うことが可能となる。
また、好ましい態様においては、仲介サーバ装置は、前記応答情報を出力した業者を選択する旨の情報を受信すると、当該業者のアドレスを請求先と認識して課金処理を行う取引成立課金手段を具備する。この態様によれば、仲介サーバ装置は、選択された業者へのみ情報提供に対して課金を行うことが可能となる。
また、好ましい態様においては、仲介サーバ装置は、最上位の階層からアドレスを読み出して、リクエスト情報を送信する。この態様によれば、予め定めた順序で階層別にリクエスト情報が送信される。
【００１１】
【発明の実施の形態】
以下、図面を参照して本発明に係る実施形態について説明する。
【００１２】
［１．実施形態の構成］
［１−１．全体構成］
図１は、本発明の実施形態に係わる仲介システムの全体構成を例示するブロック図である。この仲介システムにおいては多数のＰＣ（Ｐｅｒｓｏｎａｌ  Ｃｏｍｐｕｔｅｒ）、設計事務所端末、建築業者端末、電気工事業者端末が存在するが、図面が繁雑になるのを避けるために、ＰＣ１００と、設計事務所端末４００ａ，４００ｂと、建築業者端末５００ａ，５００ｂ及び電気工事業者端末６００ａ，６００ｂのみを図示している。なお、設計事務所端末４００ａおよび設計事務所端末４００ｂは同じ構成であるため、以下の説明において特に両者を区別する必要のない場合は設計事務所端末４００と称する。また、設計事務所端末４００と同様に建築業者端末および電気工事業者端末についても、特に区別を必要としない限り建築業者端末５００、電気工事業者端末６００と称する。
【００１３】
ＰＣ１００は、建築物の建築を予定している施主が所有するパーソナルコンピュータ装置であり、インターネット３００に接続されている。ＰＣ１００は、一般的なデスクトップ型のパーソナルコンピュータと同様のハードウェア構成を具備している。またＰＣ１００は、電子メールを授受するアプリケーションをＰＣ１００に実現させる電子メールソフトウェアと、ＷＷＷ（Ｗｏｒｌｄ  Ｗｉｄｅ  Ｗｅｂ）ブラウザソフトウェアとを記憶している。ＰＣ１００がＷＷＷブラウザソフトウェアを実行すると、ＨＴＭＬ（Ｈｙｐｅｒｔｅｘｔ  Ｍａｒｋｕｐ  Ｌａｎｇｕａｇｅ）に従ったファイル（以下、ＨＴＭＬファイルと称する）をインターネット３００に接続されたサーバ装置から取得し、取得したファイルの内容に基づいてページを表示する機能が実現する。
【００１４】
設計事務所端末４００は、建築物の設計を行う設計事務所が所有する端末であり、インターネット３００に接続されている。この設計事務所端末４００は、一般的なデスクトップ型のパーソナルコンピュータと同様のハードウェア構成を具備しており、図面を作成するための図面作成ソフトウェアと、文書を作成するための文書作成ソフトウェアと、ＷＷＷブラウザソフトウェアと、電子メールソフトウェアとを記憶している。
【００１５】
建築業者端末５００は、建築物の建築を行う建築業者が所有する端末であり、電気工事業者端末６００は、電気配線や照明設備の設置など、家屋の電気工事を行う電気工事業者が所有する端末である。建築業者端末５００および電気工事業者端末６００は、設計事務所端末４００と同様のハードウェア構成を具備しており、各々インターネット３００に接続されている。建築業者端末５００および電気工事業者端末６００は、設計事務所端末４００と同様に、図面を作成するための図面作成ソフトウェアと、文書を作成するための文書作成ソフトウェアと、ＷＷＷブラウザソフトウェアと、電子メールソフトウェアとを記憶している。
【００１６】
仲介サーバ装置２００は、インターネット３００に接続されており、ＰＣ１００、設計事務所端末４００、建築業者端末５００および電気工事業者端末６００と通信を行い、これらの装置とデータのやり取りを行う。
【００１７】
［１−２．仲介サーバ装置の構成］
図２は、仲介サーバ装置２００のハードウェア構成を例示するブロック図である。図２に示したように、仲介サーバ装置２００の各部は、バス２０１に接続されており、このバス２０１を介して各部間でデータの授受を行う。通信部２０６は、通信インターフェースとしての機能を有しており、通信線（図示略）でインターネット３００に接続されている。通信部２０６は、ＣＰＵ（Ｃｅｎｔｒａｌ  Ｐｒｏｃｅｓｓｉｎｇ  Ｕｎｉｔ）２０２の制御の下、受信したデータをＣＰＵ２０２へ供給し、ＣＰＵ２０２から供給されたデータをインターネット３００へ送出する。記憶部２０５は、例えばハードディスク装置など、データを永続的に記憶する装置（図示略）を有しており、仲介サーバ装置２００の各部を制御するためのＯＳ（Ｏｐｅｒａｔｉｎｇ  Ｓｙｓｔｅｍ）ソフトウェアや、各種テーブル、各種ＨＴＭＬファイル、受信したデータを転送する機能を実現する仲介ソフトウェアなどを記憶している。
【００１８】
図３は、記憶部２０５が記憶している業者テーブルＴＢ１のフォーマットを例示する図である。図３に例示したように、業者テーブルＴＢ１は階層構造を有している。第１階層には、設計事務所端末４００を所有している設計事務所の事務所名と、この設計事務所に付与された電子メールアドレス（アドレス）とが格納される。第２階層には、建築業者端末５００を所有している建築業者の業者名と、この業者に付与された電子メールアドレスとが格納される。第３階層には、電気工事業者端末６００を所有している電気工事業者の業者名と、この業者に付与された電子メールアドレスとが格納される。
【００１９】
図４は、記憶部２０５が記憶している設計書テーブルＴＢ２のフォーマットを例示する図である。設計書テーブルＴＢ２には、施主を一意に特定する施主識別子と、設計事務所に付与されている電子メールアドレスと、設計事務所にて作成された設計書ファイルのファイル名とが格納される。図５は、記憶部２０５が記憶している建築見積書テーブルＴＢ３のフォーマットを例示する図である。建築見積書テーブルＴＢ３には、施主識別子と、建築業者に付与されている電子メールアドレスと、建築業者が作成した建築見積書ファイルのファイル名とが格納される。図６は、記憶部２０５が記憶している電気工事見積書テーブルＴＢ４のフォーマットを例示する図である。電気工事見積書テーブルＴＢ４には、施主識別子と、電気工事業者に付与されている電子メールアドレスと、電気工事業者が作成した電気工事見積書ファイルのファイル名とが格納される。図７は、記憶部２０５が記憶している施主テーブルＴＢ５のフォーマットを例示する図である。施主テーブルＴＢ５には、施主識別子と、施主の氏名と、施主の住所と、施主に付与されている電子メールアドレスと、設計書ファイルのファイル名と、建築見積書ファイルのファイル名と、電気工事見積書ファイルのファイル名とが格納される。
【００２０】
ＲＯＭ２０３は、ＩＰＬ（Ｉｎｉｔｉａｌ  Ｐｒｏｇｒａｍ  Ｌｏａｄｅｒ）と呼ばれるプログラムを記憶している。ＣＰＵ２０２は、図示を省略した電源から電力が供給されると、ＲＯＭ２０３からＩＰＬを読み出して実行する。ＣＰＵ２０２は、ＩＰＬを実行すると、記憶部２０５からＯＳソフトウェアを読み出して起動する。ＣＰＵ２０２が、ＯＳソフトウェアを起動すると、ＨＴＴＰ（ＨｙｐｅｒＴｅｘｔ  Ｔｒａｎｓｆｅｒ  Ｐｒｏｔｏｃｏｌ）に従って通信を行う機能が実現する。また、ＣＰＵ２０２は、ＯＳソフトウェアを起動した後、記憶部２０５から仲介ソフトウェアを読み出して起動する。ＣＰＵ２０２が仲介ソフトウェアを起動すると、通信部２０６が受信したデータを転送する機能が実現する。
【００２１】
［２．動作例］
次に本実施形態の動作例について、主に図８と、ＣＰＵ２０２が行う処理の流れを示すフローチャートを例示した図２１〜図２９とを参照して説明する。なお、以下に説明する動作例においては、既に、ＷＷＷブラウザソフトウェア、電子メールソフトウェア、仲介ソフトウェアが既に起動されているものとする。
【００２２】
施主がＰＣ１００のキーボードを操作し、図９に例示したページを表示させるためのＨＴＭＬファイルのＵＲＬ（Ｕｎｉｆｏｒｍ  Ｒｅｓｏｕｒｃｅ  Ｌｏｃａｔｏｒ）をＷＷＷブラウザに入力した後、このファイルの取得を指示する旨の操作を行うと、入力されたＵＲＬを含むＨＴＴＰリクエストメッセージがＰＣ１００から仲介サーバ装置２００へ送信される（図８：ステップＳ１０１）。このメッセージが仲介サーバ装置２００の通信部２０６にて受信されると、ＣＰＵ２０２は、このメッセージに含まれているＵＲＬで特定されるＨＴＭＬファイルを記憶部２０５から読み出す。次にＣＰＵ２０２は、読み出したＨＴＭＬファイルを含むＨＴＴＰレスポンスメッセージを生成し、このメッセージを、ＰＣ１００を宛先として送信する（ステップＳ１０２）。このメッセージが、ＰＣ１００にて受信されると、このメッセージに含まれているＨＴＭＬファイルがＷＷＷブラウザにより解釈され、図９に例示した登録メニューＭ１０がＰＣ１００のディスプレイに表示される。
【００２３】
施主が、ＰＣ１００を操作し、例えば、登録メニューＭ１０内のテキストボックスに施主の氏名「ＡＡＡ」、住所「Ａ県Ｂ市Ｃ町１−１」および電子メールアドレス「ｕｓｅｒ＠ａａａａ．ｎｅ．ｊｐ」を入力する旨の操作を行った後、登録メニューＭ１０内の「送信」ボタンをクリックする旨の操作を行うと、ＰＣ１００は、入力された氏名を示す文字列データ（以下、氏名データとする）と、住所を示す文字列データ（以下、住所データとする）と、電子メールアドレス「ｕｓｅｒ＠ａａａａ．ｎｅ．ｊｐ」と、これらのデータの登録を指示する旨の登録指示を含むＨＴＴＰリクエストメッセージを、仲介サーバ装置２００を宛先として送信する（ステップＳ１０３）。
【００２４】
このメッセージが仲介サーバ装置２００の通信部２０６にて受信されると、ＣＰＵ２０２は、受信したメッセージに含まれている、氏名データと、住所データと電子メールアドレスと、登録指示とを抽出し、次いで、これらのデータを入力した施主を一意に特定する施主識別子として例えば「ＩＤ００１」を生成する（図２１：ステップＳＡ１）。ＣＰＵ２０２は、抽出したこれらのデータと施主識別子とを、図７に例示したように施主テーブルＴＢ５に格納し、施主を仲介サーバ装置２００の利用者として登録する（ステップＳＡ２）。この後、ＣＰＵ２０２は、生成した施主識別子をＷＷＷブラウザに表示させるためのＨＴＭＬファイルを含むＨＴＴＰレスポンスメッセージをＰＣ１００へ送信する（ステップＳＡ３、ステップＳ１０４）。このメッセージが、ＰＣ１００にて受信されると、このメッセージに含まれているＨＴＭＬファイルが、ＷＷＷブラウザにより解釈され、図１０に例示したように、施主識別子を施主に通知するページがＰＣ１００のディスプレイに表示される。
【００２５】
次に、施主がＰＣ１００のキーボードを操作し、図１１に例示したページを表示させるためのＨＴＭＬファイルのＵＲＬをＷＷＷブラウザに入力し、このファイルの取得を指示する旨の操作を行うと、入力されたＵＲＬを含むＨＴＴＰリクエストメッセージがＰＣ１００から仲介サーバ装置２００へ送信される（ステップＳ１０５）。このメッセージを受信した仲介サーバ装置２００のＣＰＵ２０２は、このメッセージに含まれているＵＲＬで特定されるＨＴＭＬファイルを含むＨＴＴＰレスポンスメッセージをＰＣ１００へ送信する（ステップＳ１０６）。このＨＴＴＰレスポンスメッセージがＰＣ１００にて受信されると、このメッセージに含まれているＨＴＭＬファイルが、ＰＣ１００にて実現されているＷＷＷブラウザにより解釈され、図１１に例示した設計条件入力メニューＭ１１がＰＣ１００のディスプレイに表示される。
【００２６】
施主が、ＰＣ１００を操作し、設計条件入力メニューＭ１１内の各テキストボックスにデータを入力する旨の操作を行った後、設計条件入力メニューＭ１１内の「送信」ボタンをクリックする旨の操作を行うと、ＰＣ１００は、入力された施主識別子「ＩＤ００１」と、入力されたデータ（以下、このデータを設計条件データとする）とを含むＨＴＴＰリクエストメッセージを、仲介サーバ装置２００を宛先として送信する（ステップＳ１０７）。
【００２７】
このメッセージが仲介サーバ装置２００の通信部２０６にて受信されると、ＣＰＵ２０２は、設計条件データと施主識別子とを抽出し、抽出した施主識別子と設計条件データとを本文に記述した電子メールを生成する（図２２：ステップＳＢ１）。次にＣＰＵ２０２は、業者テーブルＴＢ１の第１階層に格納されている電子メールアドレス、即ち設計事務所に付与されている電子メールアドレスを読み出し（ステップＳＢ２）、読み出した電子メールアドレスを宛先として、生成した電子メールを送信する（ステップＳＢ３）。この送信された電子メールは、設計事務所端末４００ａおよび設計事務所端末４００ｂにて受信される（ステップＳ１０８）。
【００２８】
設計事務所端末４００ａの使用者が設計事務所端末４００ａを操作し、この電子メールを開封する旨の操作を行うと、設計事務所端末４００ａは、本文に記述された内容、即ち、施主識別子と設計条件データに基づいて、例えば、図１２に示した画面を表示する。設計事務所においては、施主が希望している家屋がこの設計条件データに基づいて想定される。設計事務所では、家屋の間取りや特徴、設計事務所名などを記した設計書が、設計事務所端末４００ａが記憶している図面作成ソフトウェアを利用して作成され、この設計書を示す設計書ファイルが設計事務所端末４００ａに記憶される。
【００２９】
次に、設計事務所端末４００ａの使用者が設計事務所端末４００ａを操作し、図１３に例示したページを表示させるためのＨＴＭＬファイルのＵＲＬをＷＷＷブラウザに入力し、このファイルの取得を指示する旨の操作を行うと、入力されたＵＲＬを含むＨＴＴＰリクエストメッセージが設計事務所端末４００ａから仲介サーバ装置２００へ送信される（ステップＳ１０９）。このメッセージを受信した仲介サーバ装置２００のＣＰＵ２０２は、このメッセージに含まれているＵＲＬで特定されるＨＴＭＬファイルを含むＨＴＴＰレスポンスメッセージを設計事務所端末４００ａへ送信する（ステップＳ１１０）。このＨＴＴＰレスポンスメッセージが設計事務所端末４００ａにて受信されると、このメッセージに含まれているＨＴＭＬファイルが、設計事務所端末４００ａにて実現されているＷＷＷブラウザにより解釈され、図１３に例示した設計書ファイル送信メニューＭ１２が設計事務所端末４００ａのディスプレイに表示される。
【００３０】
設計事務所端末４００ａの使用者が、施主識別子「ＩＤ００１」と、設計事務所の電子メールアドレス「ａａａ＠ａａａａ．ｎｅ．ｊｐ」と、設計書ファイルのファイル名「Ｓ００１．ｊｐｇ」を示す文字列とを設計書ファイル送信メニューＭ１２のテキストボックスへ入力する旨の操作を行った後、「送信」ボタンをクリックする旨の操作を行うと、設計事務所端末４００ａは、入力された施主識別子と、電子メールアドレスと、入力された文字列で特定される設計書ファイルと、設計書ファイルの記憶を指示する旨の設計書ファイル記憶指示と含むＨＴＴＰリクエストメッセージを、仲介サーバ装置２００へ送信する（ステップＳ１１１）。このメッセージが仲介サーバ装置２００の通信部２０６にて受信されると、まずＣＰＵ２０２は、このメッセージに含まれている設計書ファイルを記憶部２０５に記憶させる（図２３：ステップＳＣ１）。次にＣＰＵ２０２は、このメッセージに含まれている施主識別子に対応付けて、設計事務所の電子メールアドレスと、設計書ファイルのファイル名とを、例えば図４に示したように設計書テーブルＴＢ２に格納する（ステップＳＣ２）。なお、設計事務所端末４００ｂにおいても同様の動作が行われ、設計書テーブルＴＢ２にデータが格納される。
【００３１】
次に、施主がＰＣ１００を操作し、図１４に例示したページを表示させるためのＨＴＭＬファイルのＵＲＬをＷＷＷブラウザに入力し、このファイルの取得を指示する旨の操作を行うと、入力されたＵＲＬを含むＨＴＴＰリクエストメッセージがＰＣ１００から仲介サーバ装置２００へ送信される（ステップＳ１１２）。このメッセージを受信した仲介サーバ装置２００のＣＰＵ２０２は、このＵＲＬで特定されるＨＴＭＬファイルを含むＨＴＴＰレスポンスメッセージをＰＣ１００へ送信する（ステップＳ１１３）。このＨＴＴＰレスポンスメッセージがＰＣ１００にて受信されると、このメッセージに含まれているＨＴＭＬファイルが、ＰＣ１００にて実現されているＷＷＷブラウザにより解釈され、図１４に例示した設計書ファイル取得メニューＭ１３がＰＣ１００のディスプレイに表示される。
【００３２】
次に施主が、ＰＣ１００を操作し、このメニューに表示されているテキストボックスに施主識別子「ＩＤ００１」を入力した後、「送信」ボタンをクリックする旨の操作を行うと、ＰＣ１００は、施主識別子と、設計書ファイルの送信を指示する旨の設計書ファイル送信指示とを含むＨＴＴＰリクエストメッセージを、仲介サーバ装置２００を宛先として送信する（ステップＳ１１４）。このメッセージが仲介サーバ装置２００の通信部２０６にて受信されると、ＣＰＵ２０２は、このメッセージに内包されている、施主識別子「ＩＤ００１」を抽出する。ＣＰＵ２０２は、施主識別子を抽出すると、この施主識別子を設計書テーブルＴＢ２の施主識別子フィールドの中から検索する。ＣＰＵ２０２は、施主識別子を見つけると、この施主識別子に対応付けて格納されている、設計書ファイルのファイル名「Ｓ００１．ｊｐｇ」と「Ｓ００２．ｊｐｇ」とを読み出し、読み出したファイル名で特定される設計書ファイルを、記憶部２０５から読み出す（図２４：ステップＳＤ１）。次に、ＣＰＵ２０２は、読み出した設計書ファイルが示す設計書を、図１５に例示したように表示させるためのＨＴＭＬファイル生成し（ステップＳＤ２）、設計書ファイルと、生成したＨＴＭＬファイルとを含むＨＴＴＰレスポンスメッセージを、ＰＣ１００を宛先として送信する（ステップＳＤ３、ステップＳ１１５）。
【００３３】
このメッセージがＰＣ１００にて受信されると、ＰＣ１００は、このメッセージに含まれているＨＴＭＬファイルに基づいて、図１５に例示したように設計書を表示する。施主はＰＣ１００の画面に表示された設計書を閲覧し、自身の希望に沿った家屋の設計書を選択する。例えば、施主はＰＣ１００を操作し、施主識別子を入力するためのテキストボックスに施主識別子を入力し、設計書毎に画面上に設けられている「決定」ボタンのうち、Ａ設計事務所が作成した設計書に対応付けて表示されている決定ボタンをクリックする旨の操作を行う。ＰＣ１００は、この操作が行われると、施主識別子「ＩＤ００１」と、「決定」ボタンに対応付けて表示されている設計書を示す設計書ファイルのファイル名「Ｓ００１．ｊｐｇ」（識別子）と、このファイル名を施主テーブルＴＢ５に格納するよう指示する旨の設計書ファイル名格納指示とを含むＨＴＴＰリクエストメッセージを仲介サーバ装置２００へ送信する（ステップＳ１１６）。
【００３４】
このメッセージが仲介サーバ装置２００の通信部２０６にて受信されると、ＣＰＵ２０２は、施主テーブルＴＢ５のレコードのうち、受信したメッセージに含まれている施主識別子「ＩＤ００１」で特定されるレコードの設計書ファイル名フィールドに、受信したファイル名「Ｓ００１．ｊｐｇ」を格納する（図２５：ステップＳＥ１）。次にＣＰＵ２０２は、受信したファイル名で特定される設計書ファイルを記憶部２０５から読み出す（ステップＳＥ２）。次いでＣＰＵ２０２は、業者テーブルＴＢ１の第２階層に格納されている電子メールアドレスを読み出す（ステップＳＥ３）。ＣＰＵ２０２は、読み出した設計書ファイルを添付し、施主識別子「ＩＤ００１」を記述した電子メールを、読み出した電子メールアドレスを宛先として送信する（ステップＳＥ４）。この送信された電子メールは、建築業者端末５００ａ，５００ｂにて受信される（ステップＳ１１７）。
【００３５】
建築業者端末５００ａの使用者が建築業者端末５００ａを操作し、この電子メールを開封する旨の操作を行うと、建築業者端末５００ａは、施主識別子「ＩＤ００１」と設計書ファイルのアイコンとを表示する。この電子メールを見た建築業者端末５００ａの使用者が建築業者端末５００ａを操作し、設計書ファイルのアイコンをクリックして設計書ファイルを開く旨の操作を行うと、受信した設計書ファイルに基づいて、家屋の間取り等が表示される。建築業者は、この表示される家屋の間取り等に基づいて家屋の建築見積りを行い、建築業者端末５００ａが記憶している文書作成ソフトウェアを利用して建築見積書を作成する。この建築見積書を示す建築見積書ファイルは、建築業者端末５００ａに記憶される。
【００３６】
次に、建築業者端末５００ａの使用者が建築業者端末５００ａを操作し、図１６に例示したページを表示させるためのＨＴＭＬファイルのＵＲＬをＷＷＷブラウザに入力し、このファイルの取得を指示する旨の操作を行うと、入力されたＵＲＬを含むＨＴＴＰリクエストメッセージが建築業者端末５００ａから仲介サーバ装置２００へ送信される（ステップＳ１１８）。このメッセージを受信した仲介サーバ装置２００のＣＰＵ２０２は、このメッセージに含まれているＵＲＬで特定されるＨＴＭＬファイルを含むＨＴＴＰレスポンスメッセージを建築業者端末５００ａへ送信する（ステップＳ１１９）。このＨＴＴＰレスポンスメッセージが建築業者端末５００ａにて受信されると、このメッセージに含まれているＨＴＭＬファイルが、建築業者端末５００ａにて実現されているＷＷＷブラウザにより解釈され、図１６に例示した建築見積書ファイル送信メニューＭ１４が建築業者端末５００ａのディスプレイに表示される。
【００３７】
建築業者端末５００ａの使用者が、施主識別子「ＩＤ００１」と、建築業者の電子メールアドレス「ｃｃｃ＠ａａａａ．ｎｅ．ｊｐ」と、建築見積書ファイルのファイル名「Ｋ００１．ｔｘｔ」を示す文字列とを建築見積書ファイル送信メニューのテキストボックスへ入力する旨の操作を行った後、「送信」ボタンをクリックする旨の操作を行うと、建築業者端末５００ａは、入力された施主識別子と、電子メールアドレスと、入力された文字列で特定される建築見積書ファイルと、建築見積書ファイルの記憶を指示する旨の建築見積書ファイル記憶指示とを含むＨＴＴＰリクエストメッセージを仲介サーバ装置２００へ送信する（ステップＳ１２０）。このメッセージが仲介サーバ装置２００の通信部２０６にて受信されると、まずＣＰＵ２０２は、建築見積書ファイルを記憶部２０５に記憶させる（図２６：ステップＳＦ１）。次にＣＰＵ２０２は、施主識別子「ＩＤ００１」に対応付けて、建築業者の電子メールアドレスと、建築見積書ファイルのファイル名とを、例えば図５に示したように建築見積書テーブルＴＢ３に格納する（ステップＳＦ２）。なお、建築業者端末５００ｂにおいても同様の動作が行われ、建築見積書テーブルＴＢ３にデータが格納される。
【００３８】
次に、施主がＰＣ１００を操作し、図１７に例示したページを表示させるためのＨＴＭＬファイルのＵＲＬをＷＷＷブラウザに入力し、このファイルの取得を指示する旨の操作を行うと、入力されたＵＲＬを含むＨＴＴＰリクエストメッセージがＰＣ１００から仲介サーバ装置２００へ送信される（ステップＳ１２１）。このメッセージを受信した仲介サーバ装置２００のＣＰＵ２０２は、このＵＲＬで特定されるＨＴＭＬファイルを含むＨＴＴＰレスポンスメッセージをＰＣ１００へ送信する（ステップＳ１２２）。このＨＴＴＰレスポンスメッセージがＰＣ１００にて受信されると、このメッセージに含まれているＨＴＭＬファイルが、ＰＣ１００にて実現されているＷＷＷブラウザにより解釈され、図１７に例示した建築見積書ファイル取得メニューＭ１５がＰＣ１００のディスプレイに表示される。
【００３９】
次に施主が、ＰＣ１００を操作し、このメニューに表示されているテキストボックスに施主識別子「ＩＤ００１」を入力した後、「送信」ボタンをクリックする旨の操作を行うと、ＰＣ１００は、施主識別子と、建築見積書ファイルの送信を指示する旨の建築見積書ファイル送信指示とを含むＨＴＴＰリクエストメッセージを、仲介サーバ装置２００を宛先として送信する（ステップＳ１２３）。このメッセージが仲介サーバ装置２００の通信部２０６にて受信されると、ＣＰＵ２０２は、このメッセージに含まれている、施主識別子「ＩＤ００１」を抽出する。ＣＰＵ２０２は、施主識別子を抽出すると、この施主識別子を建築見積書テーブルＴＢ３の施主識別子フィールドの中から検索する。ＣＰＵ２０２は、施主識別子を見つけると、この施主識別子に対応付けて格納されている、建築見積書ファイルのファイル名「Ｋ００１．ｔｘｔ」と「Ｋ００２．ｔｘｔ」とを読み出し、読み出したファイル名で特定される建築見積書ファイルを、記憶部２０５から読み出す（図２７：ステップＳＧ１）。次に、ＣＰＵ２０２は、読み出した建築見積書ファイルが示す建築見積書を、図１８に例示したように表示させるためのＨＴＭＬファイル生成し（ステップＳＧ２）、建築見積書ファイルと、生成したＨＴＭＬファイルとを含むＨＴＴＰレスポンスメッセージを、ＰＣ１００を宛先として送信する（ステップＳＧ３、ステップＳ１２４）。
【００４０】
このメッセージがＰＣ１００にて受信されると、ＰＣ１００は、このメッセージに含まれているＨＴＭＬファイルに基づいて、図１８に例示したように建築見積書を表示する。施主はＰＣ１００の画面に表示された建築見積書を閲覧し、自身の希望に沿った建築見積書を選択する。例えば、施主はＰＣ１００を操作し、施主識別子を入力するためのテキストボックスに施主識別子を入力した後、建築見積書毎に画面上に設けられている「決定」ボタンのうち、Ｄ工務店が作成した見積書に対応付けて表示されている決定ボタンをクリックする旨の操作を行う。ＰＣ１００は、この操作が行われると施主識別子「ＩＤ００１」と、「決定」ボタンに対応付けて表示されている見積書を示す建築見積書ファイルのファイル名「Ｋ００２．ｔｘｔ」（識別子）と、このファイル名を施主テーブルＴＢ５に格納するよう指示する旨の建築見積書ファイル名格納指示とを含むＨＴＴＰリクエストメッセージを仲介サーバ装置２００へ送信する（ステップＳ１２５）。
【００４１】
このメッセージが仲介サーバ装置２００の通信部２０６にて受信されると、ＣＰＵ２０２は、施主テーブルＴＢ５のレコードのうち、受信した施主識別子「ＩＤ００１」で特定されるレコードの建築見積書ファイル名フィールドに、受信したファイル名「Ｋ００２．ｔｘｔ」を格納する（図２８：ステップＳＨ１）。次にＣＰＵ２０２は、施主識別子に対応付けて格納されている、設計書ファイルのファイル名で特定される設計書ファイルを記憶部２０５から読み出す（ステップＳＨ２）。次いでＣＰＵ２０２は、業者テーブルＴＢ１の第３階層に格納されている電子メールアドレスを読み出し（ステップＳＨ３）、読み出した設計書ファイルを添付し、施主識別子「ＩＤ００１」を記述した電子メールを、読み出した電子メールアドレスを宛先として送信する（ステップＳＨ４）。この送信された電子メールは、電気工事業者端末６００ａ，６００ｂにて受信される（ステップＳ１２６）。
【００４２】
電気工事業者端末６００においても、建築業者端末５００と同様の動作により、家屋の間取り等が表示される。電気工事業者は、設計書ファイルに基づいて家屋の電気工事見積書を、電気工事業者端末６００が記憶している文書作成ソフトウェアを利用して作成する。この電気工事見積書を示す電気工事見積書ファイルは、上述した建築業者端末５００における動作と同様の動作により、施主識別子および電気工事業者の電子メールアドレスと共に仲介サーバ装置２００へ送信される（ステップＳ１２７〜Ｓ１２９）。この施主識別子と電気工事業者の電子メールアドレスと電気工事見積書ファイルとが仲介サーバ装置２００の通信部２０６にて受信されると、ＣＰＵ２０２は、電気工事見積書ファイルを記憶部２０５に記憶させる。次にＣＰＵ２０２は、施主識別子「ＩＤ００１」に対応付けて、電気工事見積書ファイルのファイル名と、電気工事業者の電子メールアドレスとを電気工事見積書テーブルＴＢ４に格納する。
【００４３】
次に、施主がＰＣ１００を操作し、図１９に例示したページを表示させるためのＨＴＭＬファイルのＵＲＬをＷＷＷブラウザに入力し、このファイルの取得を指示する旨の操作を行うと、入力されたＵＲＬを含むＨＴＴＰリクエストメッセージがＰＣ１００から仲介サーバ装置２００へ送信される（ステップＳ１３０）。仲介サーバ装置２００は、このＵＲＬで特定されるＨＴＭＬファイルを含むＨＴＴＰレスポンスメッセージをＰＣ１００へ送信する（ステップＳ１３１）。このＨＴＴＰレスポンスメッセージがＰＣ１００にて受信されると、このメッセージに含まれているＨＴＭＬファイルが、ＰＣ１００にて実現されているＷＷＷブラウザにより解釈され、図１９に例示した電気工事見積書ファイル取得メニューＭ１６がＰＣ１００のディスプレイに表示される。
【００４４】
次に施主が、ＰＣ１００を操作し、このメニューに表示されているテキストボックスに施主識別子「ＩＤ００１」を入力した後、「送信」ボタンをクリックする旨の操作を行うと、ＰＣ１００は、施主識別子と、電気工事見積書ファイルの送信を指示する旨の電気工事見積書ファイル送信指示とを含むＨＴＴＰリクエストメッセージを、仲介サーバ装置２００を宛先として送信する（ステップＳ１３２）。このメッセージが仲介サーバ装置２００の通信部２０６にて受信されると、ＣＰＵ２０２は、このメッセージに内包されている、施主識別子「ＩＤ００１」を抽出する。ＣＰＵ２０２は、施主識別子を抽出すると、この施主識別子を電気工事見積書テーブルＴＢ４の施主識別子フィールドの中から検索する。ＣＰＵ２０２は、施主識別子を見つけると、この施主識別子に対応付けて格納されている、電気工事見積書ファイルのファイル名「Ｋ００１．ｔｘｔ」と「Ｋ００２．ｔｘｔ」とを読み出し、読み出したファイル名で特定される電気工事見積書ファイルを、記憶部２０５から読み出す（図２９：ステップＳＪ１）。次に、ＣＰＵ２０２は、読み出した電気工事見積書ファイルが示す電気工事見積書を、図２０に例示したように表示させるためのＨＴＭＬファイル生成し（ステップＳＪ２）、建築見積書ファイルと、生成したＨＴＭＬファイルとを含むＨＴＴＰレスポンスメッセージを、ＰＣ１００を宛先として送信する（ステップＳＪ３、ステップＳ１３３）。
【００４５】
この電気工事見積書ファイルと、ＨＴＭＬファイルとを含むメッセージがＰＣ１００にて受信されると、ＰＣ１００は、受信したＨＴＭＬファイルに基づいて、図２０に例示したように電気工事見積書を表示する。施主はＰＣ１００の画面に表示された電気工事見積書を閲覧し、自身の希望に沿った電気工事見積書を選択する。例えば、施主はＰＣ１００を操作し、施主識別子を入力するためのテキストボックスに施主識別子「ＩＤ００１」を入力した後、電気工事見積書毎に画面上に設けられている「決定」ボタンのうち、Ｆ電気施工（株）が作成した見積書に対応付けて表示されている決定ボタンをクリックする旨の操作を行う。ＰＣ１００はこの操作が行われると、施主識別子「ＩＤ００１」と、「決定」ボタンに対応付けて表示されている見積書を示す電気工事見積書ファイルのファイル名「Ｅ００２．ｔｘｔ」（識別子）と、このファイル名を施主テーブルＴＢ５に格納するよう指示する旨の電気工事見積書ファイル名格納指示とを含むＨＴＴＰリクエストメッセージを仲介サーバ装置２００へ送信する（ステップＳ１３４）。
【００４６】
この電気工事見積書ファイル名格納指示と、施主識別子とファイル名とを含むメッセージが仲介サーバ装置２００の通信部２０６にて受信されると、ＣＰＵ２０２は、施主テーブルＴＢ５のレコードのうち、この受信した施主識別子「ＩＤ００１」で特定されるレコードの電気工事見積書ファイル名フィールドに、受信したファイル名「Ｅ００２．ｔｘｔ」を格納する。
【００４７】
仲介サーバ装置２００のＣＰＵ２０２は、上述した動作により、施主テーブルＴＢ５のレコードのうち、全てのセルにデータが格納されたレコードが生じると、このレコードに格納されているデータを読み出す（図３０：ステップＳＫ１）。次にＣＰＵ２０２は、設計書テーブルＴＢ２を参照し、読み出した施主識別子「ＩＤ００１」と設計書ファイルのファイル名「Ｓ００１．ｊｐｇ」とに対応付けて格納されている設計事務所の電子メールアドレス「ａａａ＠ａａａａ．ｎｅ．ｊｐ」を読み出す。
【００４８】
ＣＰＵ２０２は、読み出した電子メールアドレス「ａａａ＠ａａａａ．ｎｅ．ｊｐ」を宛先として、施主テーブルＴＢ５から読み出した、施主の氏名を示す氏名データと、施主の住所を示す住所データとを記述した電子メールを送信する（ステップＳＫ２、ステップＳ１３５）。次いでＣＰＵ２０２は、読み出した設計事務所名「Ａ設計事務所」を記述した電子メールを、施主テーブルＴＢ５から読み出した電子メールアドレス「ｕｓｅｒ＠ａａａａ．ｎｅ．ｊｐ」を宛先として送信する（ステップＳＫ３、ステップＳ１３６）。これにより、施主の氏名および住所が、施主が選択した設計書を作成した設計事務所の設計事務所端末４００へ通知され、施主が選択した設計書を作成した設計事務所の事務所名が、施主が使用するＰＣ１００へ通知される。
【００４９】
また、建築業者と電気工事業者に関しても、建築見積書テーブルＴＢ３、電気工事見積書テーブルＴＢ４、業者テーブルＴＢ１、施主テーブルＴＢ５とを用いて、上述した動作と同様に、施主と施主の住所とが各々の業者の端末に通知され（ステップＳＫ４、ステップＳＫ６）、建築業者名と電気工事業者名とが、ＰＣ１００に通知される（ステップＳＫ５、ステップＳＫ７、ステップＳ１３７〜ステップＳ１４０）。
【００５０】
以上説明したように本実施形態によれば、設計事務所だけでなく、家屋の建築工事を行う建築業者や電気工事を行う電気工事業者など、施工を行う業者についてもコンペを行うことが可能となり、施主の希望に沿った業者を選択することが可能となる。また本実施形態によれば、施主が設計書を選択すると、家屋の施工に関連する業者に設計書が送信されるようになっているため、施主が施工種別毎に希望条件を設定してコンペを行う必要がなく、容易にコンペを行うことができる。また本実施形態によれば、業者テーブルＴＢ１が有する階層に沿ってコンペが行われる。この場合、同一の階層には同一種類の業者が分類され、かつ、各階層は家の建築に必要な段取りの上流から下流に向かって業者の種類が分類されている。したがって、ユーザは、家の建築の段取りに従った順序で上流側から業者を決定することができ、下流側の業者を先に決定してしまうという不都合が生じることがない。このように、業者テーブルＴＢ１を予め適切に作っておくことにより、ユーザは建築のことを何も知らなくて、それに必要な業者を段取りの上流側から順次決定することができる。
【００５１】
［３．変形例］
本発明は、係る実施形態に限定されるものではない。以下、上述した実施形態の変形例について述べる。
【００５２】
（変形例１）
施主の希望を入力するための画面で入力する条件は、図１１に例示した項目に限定されるものではない。延床面積、駐車場の有無や庭の有無など、他の項目を入力できるようにしてもよい。
（変形例２）
設計書ファイルを受け取った建築業者が、仲介サーバ装置２００へ設計書ファイルを送信し、下請けとなる業者に対してコンペを行うようにしてもよい。
（変形例３）
上述したシステムにおいて、コンペに参加可能な業者は上述した建築業者や電気工事業者に限定されるものではなく、水道工事、屋根工事、塗装工事、内装工事など、他の業者が参加できるようにしてもよい。この場合、業者テーブルを図３１に例示したフォーマットとしてもよい。
（変形例４）
施主の氏名および住所は、施主が設計事務所を選択した際に、設計事務所端末４００へ通知するようにしてもよい。また、同様に施主が建築業者や電気工事業者を選択した際に、建築業者端末５００、電気工事業者端末６００へ通知するようにしてもよい。
（変形例５）
業者テーブルの階層は、図３に例示したように３層に限定されるものではなく、２層や３層以上の階層であってもよい。
（変形例６）
この発明は、建築物に限定されるものではなく、ユーザの希望とそれに対する応答を行うコンペ形式に広く適用することができる。
（変形例７）
設計書ファイル、建築見積書ファイル、電気工事見積書ファイルなどの、業者が送信するファイルは、仲介サーバ装置２００が受信した時に、電子メールにより、ＰＣ１００へ転送するようにしてもよい。また、仲介サーバ装置２００は、業者テーブルＴＢ１の階層毎に、各階層に属する業者からの応答を全て受信した時に、業者から送信されたファイルをＰＣ１００へ転送するようにしてもよい。
（変形例８）
上述した実施形態においては、アドレスとして電子メールアドレスを用いたが、端末が特定されている場合は、ＩＰアドレスを用いてもよい。これはユーザ用の端末でも業者用の端末でもいずれでも適用することができる。
（変形例９）
仲介サーバ装置２００は、業種テーブルＴＢ１に登録されている業者に対して登録料として課金を行うようにしてもよい。
例えば、業者テーブルＴＢ１に、課金金額を示す課金データを格納する課金フィールドを追加する。図示を省略したキーボードが操作され、業者テーブルＴＢ１に新たにデータを格納する旨の操作が行われると、仲介ソフトウェアを起動しているＣＰＵ２０２は、業者テーブルＴＢ１に新たにレコードを作成し、データを格納する。ＣＰＵ２０２は、業者テーブルＴＢ１に新たなデータを格納すると、このレコードの課金フィールドに、登録料として定めた金額示す課金データを格納する。また、課金は、月毎や週毎など決められた周期で行うようにしてもよい。例えば、ＣＰＵ２０２は、時刻を計時し、一ヶ月毎に、課金フィールドに格納されている課金データが示す金額に所定の金額を加算するようにし、年単位で登録料金を徴収するようにしてもよい。このような態様によれば、仲介サーバ２００を利用可能な業者に対して、仲介サーバ装置の利用料金の課金を行うことが可能となる。
また、施主に選択された業者に対して、成功報酬として課金を行うようにしてもよい。例えば、設計事務所に対して成功報酬を課金する場合、ＣＰＵ２０２は、設計書ファイル名と設計書ファイル名格納指示を受信した際、設計書テーブルＴＢ２を参照し、設計書ファイル名で特定される設計書ファイルの送信元の電子メールアドレスを読み出す。次にＣＰＵ２０２は、業者テーブルＴＢ１を参照し、この読み出した電子メールアドレスが格納されているレコードの課金フィールドに、成功報酬として予め定めた金額を示すデータを格納する。このような態様によれば、施主に選択された設計書を作成した設計事務所に対して、成功報酬の課金を行うことが可能となる。
本実施形態では、業者は必ず仲介サーバ装置２００を介して設計書や見積書を送信するようになっており、業者は施主に直接連絡できないようになっているため、コンペへ参加した業者を確実に特定でき、仲介料や成功報酬を確実に課金することができる。
（変形例１０）
上述した実施形態においては、仲介サーバ装置２００は、設計条件データを受信した際、業者テーブルＴＢ１の第１階層から業者の電子メールアドレスを読み出し、この電子メールアドレスを宛先として設計条件データを送信したが、コンペ開始時に読み出す電子メールアドレスの階層は、第１階層に限定されるものではない。例えば、仲介サーバ装置２００は、ＰＣ１００に電気工事の条件を入力させるメニューを提示するようにし、このメニューに入力されたデータをＰＣ１００から受信した場合には、受信したデータの内容を確認し、業者テーブルの第１階層からではなく、電気工事業者が分類されている第３階層から電子メールアドレスデータを読み出して、受信した電気工事の条件を示すデータを送信するようにしてもよい。このように、仲介サーバ装置２００は、受信したデータの内容に基づいて、業者テーブルＴＢ１の第１階層からだけでなく、他の階層から電子メールアドレスを読み出してデータを転送するようにしてもよい。
【図面の簡単な説明】
【図１】実施形態に係わる通信システムの全体構成を例示する図である。
【図２】同実施形態に係わる仲介サーバ装置の構成を例示する図である。
【図３】業者テーブルＴＢ１のフォーマットを例示する図である。
【図４】設計書テーブルＴＢ２のフォーマットを例示する図である。
【図５】建築見積書テーブルＴＢ３のフォーマットを例示する図である。
【図６】電気工事見積書テーブルＴＢ４のフォーマットを例示する図である。
【図７】施主テーブルＴＢ５のフォーマットを例示する図である。
【図８】実施形態の動作を説明するための図である。
【図９】ＰＣ１００が表示する画面を例示する図である。
【図１０】ＰＣ１００が表示する画面を例示する図である。
【図１１】ＰＣ１００が表示する画面を例示する図である。
【図１２】ＰＣ１００が表示する画面を例示する図である。
【図１３】設計事務所端末４００が表示する画面を例示する図である。
【図１４】ＰＣ１００が表示する画面を例示する図である。
【図１５】ＰＣ１００が表示する画面を例示する図である。
【図１６】建築業者端末５００が表示する画面を例示する図である。
【図１７】ＰＣ１００が表示する画面を例示する図である。
【図１８】ＰＣ１００が表示する画面を例示する図である。
【図１９】ＰＣ１００が表示する画面を例示する図である。
【図２０】ＰＣ１００が表示する画面を例示する図である。
【図２１】ＣＰＵ２０２が登録指示を受信した時に行う処理を例示すフローチャートである。
【図２２】ＣＰＵ２０２が設計条件データを受信した時に行う処理を例示するフローチャートである。
【図２３】ＣＰＵ２０２が設計書ファイル記憶指示を受信した時に行う処理を例示するフローチャートである。
【図２４】ＣＰＵ２０２が設計書ファイル要求指示を受信した時に行う処理を例示するフローチャートである。
【図２５】ＣＰＵ２０２が設計書ファイル名格納指示を受信した時に行う処理を例示するフローチャートである。
【図２６】ＣＰＵ２０２が建築見積書ファイル記憶指示を受信した時に行う処理を例示するフローチャートである。
【図２７】ＣＰＵ２０２が建築見積書ファイル要求指示を受信した時に行う処理を例示するフローチャートである。
【図２８】ＣＰＵ２０２が建築見積書ファイル名格納指示を受信した時に行う処理を例示するフローチャートである。
【図２９】ＣＰＵ２０２が電気工事見積書ファイル要求指示を受信した時に行う処理を例示するフローチャートである。
【図３０】ＣＰＵ２０２が、設計事務所、建築業者、電気工事業者が確定した時に行う処理を例示するフローチャートである。
【図３１】業者テーブルＴＢ１の変形例を示す図である。
【符号の説明】
１００・・・ＰＣ、２００・・・仲介サーバ装置、２０１・・・バス、２０２・・・ＣＰＵ、２０３・・・ＲＯＭ、２０４・・・ＲＡＭ、２０５・・・記憶部、２０６・・・通信部、２０７・・・操作部、２０８・・・表示部、３００・・・インターネット、４００，４００ａ，４００ｂ・・・設計事務所端末、５００，５００ａ，５００ｂ・・・建築業者端末、６００，６００ａ，６００ｂ・・・電気工事業者端末。
【図１】
2005031973.tif 000003
【図２】
2005031973.tif 000004
【図３】
2005031973.tif 000005
【図４】
2005031973.tif 000006
【図５】
2005031973.tif 000007
【図６】
2005031973.tif 000008
【図７】
2005031973.tif 000009
【図８】
2005031973.tif 000010
【図９】
2005031973.tif 000011
【図１０】
2005031973.tif 000012
【図１１】
2005031973.tif 000013
【図１２】
2005031973.tif 000014
【図１３】
2005031973.tif 000015
【図１４】
2005031973.tif 000016
【図１５】
2005031973.tif 000017
【図１６】
2005031973.tif 000018
【図１７】
2005031973.tif 000019
【図１８】
2005031973.tif 000020
【図１９】
2005031973.tif 000021
【図２０】
2005031973.tif 000022
【図２１】
2005031973.tif 000023
【図２２】
2005031973.tif 000024
【図２３】
2005031973.tif 000025
【図２４】
2005031973.tif 000026
【図２５】
2005031973.tif 000027
【図２６】
2005031973.tif 000028
【図２７】
2005031973.tif 000029
【図２８】
2005031973.tif 000030
【図２９】
2005031973.tif 000031
【図３０】
2005031973.tif 000032
【図３１】
2005031973.tif 000033